(57)【特許請求の範囲】
【請求項１】
通信サービスエリアが重複すると共にＩＰネットワークに接続された複数の異なる無線アクセスシステム内にそれぞれ設けられた無線基地局装置と、前記無線基地局装置を介して複数の無線アクセスシステムに接続可能な無線通信装置とを有する通信システムであって、
前記無線通信装置が前記無線アクセスシステムに接続するために必要な基本情報と、前記無線アクセスシステムが提供するサービス品質に関する拡張情報とが前記無線アクセスシステム内で分類して管理されており、前記基本情報は、前記無線アクセスシステム内の前記無線基地局装置から前記無線通信装置に報知され、前記拡張情報は、前記無線アクセスシステム内の拡張情報格納装置に格納されており、
前記無線通信装置は、各無線アクセスシステムの無線基地局装置から報知された前記基本情報に基づいて前記複数の無線アクセスシステムの中の特定の無線アクセスシステムの無線基地局装置に接続し、前記特定の無線アクセスシステムの無線基地局装置を介して前記複数の無線アクセスシステムの拡張情報を取得し、
前記無線通信装置は、取得した前記複数の無線アクセスシステムの拡張情報に基づいて、サービスの提供を受ける無線アクセスシステムを選択し、
前記無線通信装置は、前記サービスの提供を受ける無線アクセスシステムの選択結果に基づいて、あらかじめ接続先の優先順位が定められた接続先優先リストを更新し、前記接続先優先リストに基づいて前記特定の無線アクセスシステムを決定することを特徴とする通信システム。
【請求項２】
前記複数の無線アクセスシステム内の無線基地局装置から報知される基本情報に、各無線アクセスシステムの拡張情報の格納場所を示すＵＲＩが含まれていることを特徴とする請求項１に記載の通信システム。
【請求項３】
前記無線アクセスシステムの前記拡張情報は、前記無線アクセスシステム内において複数の拡張情報格納装置に階層化して格納されていることを特徴とする請求項１又は請求項２に記載の通信システム。
【請求項４】
通信サービスエリアの少なくとも一部が重複すると共にＩＰネットワークに接続された複数の異なる無線アクセスシステムに設けられた無線基地局装置に接続可能な無線通信装置であって、
前記複数の無線通信システムにそれぞれ接続するための複数の無線通信部と、
前記無線アクセスシステム内の無線基地局装置から報知され前記無線アクセスシステムに接続するために必要な基本情報を受信する基本情報受信部と、
前記受信した基本情報に基づいて、前記複数の無線アクセスシステムの中で接続する特定の無線アクセスシステムを決定する接続先決定部と、
前記特定の無線アクセスシステムを介して前記複数の無線アクセスシステム内の拡張情報格納装置にそれぞれ格納されたサービス品質に関する拡張情報を取得する拡張情報取得部と、を有し、
前記接続先決定部は、取得した前記複数の無線アクセスシステムの拡張情報に基づいて、サービスの提供を受ける無線アクセスシステムを選択し、
前記接続先決定部は、前記サービスの提供を受ける無線アクセスシステムの選択結果に基づいて、あらかじめ接続先の優先順位が定められた接続先優先リストを更新し、前記接続先優先リストに基づいて前記特定の無線アクセスシステムを決定することを特徴とする無線通信装置。
【請求項５】
前記複数の無線アクセスシステム内の無線基地局装置から報知される基本情報に、各無線アクセスシステムの拡張情報の格納場所を示すＵＲＩが含まれており、前記ＵＲＩに基づいて前記特定の無線アクセスシステムを介して前記複数の無線アクセスシステムの拡張情報を取得することを特徴とする請求項４に記載の無線通信装置。
【請求項６】
通信サービスエリアが重複すると共にＩＰネットワークに接続された複数の異なる無線アクセスシステム内にそれぞれ設けられた無線基地局装置と、前記無線基地局装置を介して複数の無線アクセスシステムに接続可能な無線通信装置とを有する通信システムにおける通信方法であって、
前記各無線アクセスシステムの無線基地局装置が、前記無線通信装置が前記複数の無線アクセスシステムにそれぞれ接続するために必要な基本情報を報知するステップと、
前記無線通信装置が、前記複数の無線アクセスシステムからそれぞれ報知された前記基本情報を取得するステップと、
前記取得した基本情報に基づいて前記無線通信装置が前記複数の無線アクセスシステムの中の特定の無線アクセスシステムの無線基地局装置に接続するステップと、
前記無線通信装置が、前記特定の無線アクセスシステムの無線基地局装置を介してＩＰネットワークに接続し、前記複数の無線アクセスシステム内の拡張情報格納装置に格納された無線アクセスシステムのサービス品質に関する拡張情報を取得するステップと、を有し、
前記無線通信装置は、取得した前記複数の無線アクセスシステムの拡張情報に基づいて、サービスの提供を受ける無線アクセスシステムを選択し、
前記無線通信装置は、前記サービスの提供を受ける無線アクセスシステムの選択結果に基づいて、あらかじめ接続先の優先順位が定められた接続先優先リストを更新し、前記接続先優先リストに基づいて前記特定の無線アクセスシステムを決定することを特徴とする通信方法。
【発明の詳細な説明】
【技術分野】
【０００１】
本発明は、複数の無線アクセスシステムを利用して無線通信を行う通信システム、無線通信装置及び通信方法に関する。
【背景技術】
【０００２】
近年、様々な通信方式による無線アクセスシステムのサービスが提供されている。例えば、標準化団体である３ＧＰＰ（Third  Generation  Partnership  Project）では、Ｗ−ＣＤＭＡ（Wideband  Code  Division  Multiple  Access）、ＨＳＰＡ（High  Speed  Packet  Access）、ＬＴＥ（Long  Term  Evolution）等が規定されている。また、ＩＥＥＥ（Institute  of  Electrical  and  Electronic  Engineers）８０２委員会では、無線ＬＡＮ（Wi-Fi（登録商標）：Wireless  Fidelity）や無線ＭＡＮ（WiMAX:  Worldwide  Interoperability  for  Microwave  Access）等が規定されている。さらに、次世代ＰＨＳ方式であるＸＧＰ（eXtended  Global  Platform）サービスも開始されている。
【０００３】
各通信方式は、周波数帯域、ピークデータレート、伝送距離等について異なる特徴を有しており、このような異なる複数の通信方式を利用する無線アクセスシステムと通信可能な無線通信装置が提案されている（例えば、特許文献１）。
【０００４】
異なる複数の無線アクセスシステムの通信サービスエリアが重複する場合には、重複する通信サービスエリアにおいて無線通信装置は特定の無線アクセスシステムを選択して接続することにより、所望の無線通信サービスの提供を受けることができる。
【先行技術文献】
【特許文献】
【０００５】
【特許文献１】特開２００５−１０１８２０号公報
【発明の概要】
【発明が解決しようとする課題】
【０００６】
近年、無線通信サービスの提供者は、利用者に提供する無線通信サービスの内容、品位、通信品質（ＱｏＳ）等のサービス品質に対する水準を明確にして、サービスの品質を保証するサービスレベルアグリーメント（ＳＬＡ：service  level  agreement）を定めている。例えば、無線通信サービスの提供者は、回線の最低通信速度やネットワーク内の平均遅延時間、利用不能時間の上限等のサービス品質の保証項目や、それらを実現できなかった場合の利用料金の減額に関する規定などをサービス契約に含めて利用者にサービスを提供する。
【０００７】
そのため、利用者が異なる複数の無線アクセスシステムに接続する（通信サービスを受ける）ことができる場合には、ＳＬＡを一つの指標として接続先を決定することができる。この場合、利用者の無線通信装置が、通信サービスを受ける接続先を決定する前に、それぞれの無線アクセスシステムが提供するＳＬＡに関する情報を取得する必要がある。
【０００８】
接続先を決定する前にＳＬＡに関する情報を取得する方法として、無線アクセスシステムに接続するために取得する報知情報（例えば、セルラーシステムにおけるＭＩＢ／ＳＩＢに含まれる情報、ＷＬＡＮにおけるビーコンフレームに含まれる情報）に、ＳＬＡに関する情報を加えてそれぞれの無線アクセスシステムから報知することが考えられる。
【０００９】
しかしながら、報知情報の送信データレートは比較的低く接続に必要となる最低限の情報の伝送には適しているが、情報量が大きいＳＬＡに関する種々情報の送信には適していない。また、報知情報のフレームフォーマット自体を変更する方法も考えられるが、様々な世代の無線通信装置が混在している状況においては、フレームフォーマットの変更により、古い世代の無線通信装置の通信に障害が生じるおそれがある。
【００１０】
本発明は、かかる点に鑑みてなされたものであり、複数の異なる無線アクセスシステムに接続可能な無線通信装置が、各無線アクセスシステムが提供するサービス品質に関する情報を効果的に取得できる通信システム、無線通信装置及び通信方法を提供することを目的の一とする。
【課題を解決するための手段】
【００１１】
本発明の通信システムの一は、通信サービスエリアが重複すると共にＩＰネットワークに接続された複数の異なる無線アクセスシステム内にそれぞれ設けられた無線基地局装置と、無線基地局装置を介して複数の無線アクセスシステムに接続可能な無線通信装置とを有し、無線通信装置が無線アクセスシステムに接続するために必要な基本情報と、無線アクセスシステムが提供するサービス品質に関する拡張情報とが無線アクセスシステム内で分類して管理されており、基本情報は、無線アクセスシステム内の無線基地局装置から無線通信装置に報知され、拡張情報は、無線アクセスシステム内の拡張情報格納装置に格納されており、無線通信装置は、各無線アクセスシステムの無線基地局装置から報知された基本情報に基づいて複数の無線アクセスシステムの中の特定の無線アクセスシステムの無線基地局装置に接続し、特定の無線アクセスシステムの無線基地局装置を介して複数の無線アクセスシステムの拡張情報を取得し、前記無線通信装置は、取得した前記複数の無線アクセスシステムの拡張情報に基づいて、サービスの提供を受ける無線アクセスシステムを選択し、前記無線通信装置は、前記サービスの提供を受ける無線アクセスシステムの選択結果に基づいて、あらかじめ接続先の優先順位が定められた接続先優先リストを更新し、前記接続先優先リストに基づいて前記特定の無線アクセスシステムを決定することを特徴とする。
【００１２】
この構成によれば、複数の異なる無線アクセスシステムに接続可能な無線通信装置が、各無線アクセスシステムが提供するサービス品質に関する情報を効果的に取得することができる。
【００１３】
本発明の無線通信装置の一は、通信サービスエリアの少なくとも一部が重複すると共にＩＰネットワークに接続された複数の異なる無線アクセスシステムに設けられた無線基地局装置に接続可能な無線通信装置であって、複数の無線通信システムにそれぞれ接続するための複数の無線通信部と、無線アクセスシステム内の無線基地局装置から報知され無線アクセスシステムに接続するために必要な基本情報を受信する基本情報受信部と、受信した基本情報に基づいて、複数の無線アクセスシステムの中で接続する特定の無線アクセスシステムを決定する接続先決定部と、特定の無線アクセスシステムを介して複数の無線アクセスシステム内の拡張情報格納装置にそれぞれ格納されたサービス品質に関する拡張情報を取得する拡張情報取得部と、を有し、前記接続先決定部は、取得した前記複数の無線アクセスシステムの拡張情報に基づいて、サービスの提供を受ける無線アクセスシステムを選択し、前記接続先決定部は、前記サービスの提供を受ける無線アクセスシステムの選択結果に基づいて、あらかじめ接続先の優先順位が定められた接続先優先リストを更新し、前記接続先優先リストに基づいて前記特定の無線アクセスシステムを決定することを特徴とする。
【００１４】
本発明の通信方法の一は、通信サービスエリアが重複すると共にＩＰネットワークに接続された複数の異なる無線アクセスシステム内にそれぞれ設けられた無線基地局装置と、無線基地局装置を介して複数の無線アクセスシステムに接続可能な無線通信装置とを有する通信システムにおいて、無線通信装置が複数の無線アクセスシステムが提供するサービス品質に関する情報を取得する通信方法であって、各無線アクセスシステムの無線基地局装置が、無線通信装置が複数の無線アクセスシステムにそれぞれ接続するために必要な基本情報を報知するステップと、無線通信装置が、複数の無線アクセスシステムからそれぞれ報知された基本情報を取得するステップと、取得した基本情報に基づいて無線通信装置が複数の無線アクセスシステムの中の特定の無線アクセスシステムの無線基地局装置に接続するステップと、無線通信装置が、特定の無線アクセスシステムの無線基地局装置を介してＩＰネットワークに接続し、複数の無線アクセスシステム内の拡張情報格納装置に格納された無線アクセスシステムのサービス品質に関する拡張情報を取得するステップと、を有し、前記無線通信装置は、取得した前記複数の無線アクセスシステムの拡張情報に基づいて、サービスの提供を受ける無線アクセスシステムを選択し、前記無線通信装置は、前記サービスの提供を受ける無線アクセスシステムの選択結果に基づいて、あらかじめ接続先の優先順位が定められた接続先優先リストを更新し、前記接続先優先リストに基づいて前記特定の無線アクセスシステムを決定することを特徴とする。
【発明の効果】
【００１５】
本発明によれば、複数の異なる無線アクセスシステムに接続可能な無線通信装置が、各無線アクセスシステムが提供するサービス品質に関する情報を効果的に取得することができる。
【図面の簡単な説明】
【００１６】
【図１】実施の形態に係る通信システムの一例を示す図である。
【図２】実施の形態に係る通信システムの一例を示す図である。
【図３】実施の形態に係る通信方法の一例を示す図である。
【図４】実施の形態に係る拡張情報の格納形態の一例を示す図である。
【図５】実施の形態に係る無線通信装置、無線基地局装置の概略的な構成図である。
【発明を実施するための形態】
【００１７】
本発明者は、複数の異なる無線アクセスシステムに接続可能な無線通信装置を有する通信システムにおいて、無線通信装置が複数の無線アクセスシステムが提供するサービス品質に関する情報を効果的に取得するために、無線通信装置に報知する報知情報の中身に着目し、情報の種類に応じて基本情報と拡張情報に分類して扱うことを見出した。
【００１８】
具体的には、無線通信装置が通信サービスの提供を受ける接続先の選択に利用する報知情報を、無線アクセスシステムへの接続に際して必要となる基本情報と、無線アクセスシステムが提供するＳＬＡ等に関する拡張情報に分類し、基本情報を各無線アクセスシステムから無線通信装置に報知し、取得した基本情報に基づいて無線通信装置が特定の無線アクセスシステムに接続して各無線アクセスシステムの拡張情報を取得する構成とする。これにより、フレームフォーマットを変更することなく、無線通信装置が、各無線アクセスシステムが提供するサービス品質に関する情報を効果的に取得することができる。
【００１９】
以下、本発明の実施の形態について添付図面を参照して詳細に説明する。なお、以下の実施の形態においては、本発明に係る無線通信装置を携帯電話に適用した例について説明するが、この構成に限定されるものではない。本発明において無線通信装置は、複数の異なる無線アクセスシステムと通信可能な装置であればどのような装置でもよく、例えば、デスクトップＰＣ、ノートＰＣ、ＰＤＡ（Personal  Digital  Assistant）、携帯用ゲーム機等に適用することも可能である。
【００２０】
図１を参照して無線通信装置が属する通信システムの構成の概要について説明する。なお、図１に示す通信システムの構成は、あくまで例示であって、この構成に限定されるものではない。
【００２１】
図１において、通信システムは、無線通信装置１０１と、当該無線通信装置１０１が接続可能な複数の異なる無線アクセスシステム（ここでは、System#1、System#2）から構成されている。複数の無線アクセスシステム（System#1、System#2）は、無線基地局装置、図示しない無線ネットワーク制御装置（RNC:  Radio  Network  Controller）、加入者交換機等を有している。
【００２２】
また、複数の無線アクセスシステムは、通信サービスエリアの少なくとも一部が重複すると共に、ＩＰネットワークに接続されている。無線アクセスシステムとしては、例えば、３Ｇ無線（W-CDMA）アクセスシステム、LTEアクセスシステム、WLANアクセスシステム、WiMAXアクセスシステム等が挙げられる。ここでは、無線基地局装置１０２Ａ、１０２Ｂを有する第１の無線アクセスシステム（System#1）がＬＴＥアクセスシステムであり、無線基地局装置１０２Ｃを有する第２の無線アクセスシステム（System#2）が無線ＬＡＮアクセスシステムである場合を示している。
【００２３】
また、各無線アクセスシステムは、同一オペレータにより運用される構成でもよいし、異なるオペレータにより運用される構成でもよい。ここでは、第１の無線アクセスシステム（System#1）と第２の無線アクセスシステム（System#2）が、それぞれ異なるオペレータにより運用される場合を示している。
【００２４】
また、各無線アクセスシステムには、無線通信装置１０１が各無線アクセスシステムに接続するために必要な基本情報と、各無線アクセスシステムが提供するサービス品質に関する拡張情報とが分類して管理されている。
【００２５】
基本情報は、各無線アクセスシステムが有する無線基地局装置から無線通信装置１０１に対して報知情報として報知される情報である。基本情報には、無線アクセスシステムに接続するために最低限必要な情報が含まれていればよく、各無線アクセスシステム毎に情報内容が設定される。例えば、３Ｇ無線アクセスシステムやＬＴＥアクセスシステム等のセルラーアクセスシステムでは、MIB、SIB等に含まれる情報が基本情報に含まれ、無線通信装置に報知される。また、無線LANシステムでは、ビーコンフレームに含まれる情報、WiMAXでは、SBC-REQ/SBC-RSPに含まれる情報が基本情報に含まれる。
【００２６】
また、基本情報には、無線アクセスシステムに接続するために最低限必要な情報に加えて、無線通信装置１０１が拡張情報にアクセスための所在に関する情報（例えば、URI:User Resource Identifier）が含まれている。
【００２７】
拡張情報は、各無線アクセスシステム内の拡張情報格納装置１０３Ａ〜１０３Ｄに格納されている。また、拡張情報は、XML等のマークアップ言語で記述することができ、上記基本情報に基づいて無線通信装置１０１がHTTP等のアプリケーション層のプロトコル（TCP/IP等）を用いてＩＰネットワーク経由で各無線アクセスシステム内の拡張情報格納装置１０３Ａ〜１０３Ｄに接続することにより取得する情報である。拡張情報の格納場所（拡張情報格納装置）の所在は、基本情報中に含まれるＵＲＩによって無線通信システム１０１に通知する構成とすることができる。
【００２８】
また、拡張情報には、無線アクセスシステムのサービスレベルアグリーメント（ＳＬＡ）に関する情報等が含まれる。例えば、保証（最低）スループット値・（最大）遅延値等のパフォーマンスに関する情報、課金に関する情報、Admission Control等の実施情報、優先制御の有無等のＱｏＳ／ＱｏＥを制御するために必要な情報等が含まれる。また、後述するように、さらに上位の拡張情報格納装置に接続する場合には、当該上位の拡張情報格納装置のＵＲＩが含まれる。
【００２９】
このように、無線通信装置１０１は、各無線アクセスシステムの無線基地局装置から報知された基本情報に基づいて、複数の無線アクセスシステムの中の特定の無線アクセスシステムの無線基地局装置に接続し、特定の無線アクセスシステムの無線基地局装置を介して複数の無線アクセスシステムのサービス品質に関する拡張情報を取得することができる（図２参照）。
【００３０】
以下に、上述した通信システムにおける通信方法の具体例について図３を参照して詳細に説明する。以下の説明では、無線通信装置（UE）が、第１の無線基地局装置（BTS#1）を有する第１の無線アクセスシステム（System#1）と、第２の無線基地局装置（BTS#2）を有する第２の無線アクセスシステム（System#2）と接続可能な場合について説明する。
【００３１】
＜基本情報の報知＞
まず、複数の無線アクセスシステム（ここでは、System#1、System#2）の無線基地局装置（BTS#1、BTS#2）から無線通信装置１０１に対して基本情報が報知される。
【００３２】
例えば、第１の無線アクセスシステム（System#1）がＬＴＥアクセスシステムであり、第２の無線アクセスシステム（System#2）が無線ＬＡＮアクセスシステムである場合には、第１の無線基地局装置（BTS#1）から基本情報（MIB/SIB等）が報知され、第２の無線基地局装置（BTS#2）から基本情報（ビーコンフレーム等）が報知される。また、各無線基地局装置から報知される基本情報には、各無線アクセスシステムの拡張情報の所在に関するＵＲＩが含まれている。
【００３３】
無線通信装置１０１は、各無線アクセスシステムに対する接続の可否を判断し、各無線アクセスシステムから取得した基本情報に基づいて初期接続する無線アクセスシステムを選択する。例えば、無線通信装置１０１に、接続先の優先順位が定められた接続先優先リストを設け、当該接続先優先リストに基づいて複数の無線アクセスシステムの中で初期接続する特定の無線アクセスシステムを決定することができる。
【００３４】
ここでは、第１の無線アクセスシステム（System#1）の無線基地局装置（BTS#1）を初期接続先として接続する。
【００３５】
＜拡張情報の取得＞
次に、各無線アクセスシステムから取得した基本情報に含まれる拡張情報の所在を示す情報（ＵＲＩ）に基づいて、複数の無線アクセスシステムの拡張情報を取得する。ここでは、第１の無線アクセスシステム（System#1）の第１の無線基地局装置（BTS#1）に接続した無線通信装置１０１が、HTTP等のアプリケーション層のプロトコル（TCP/IP）を用いてＩＰネットワーク経由で各無線アクセスシステム内の拡張情報格納装置に接続して、各無線アクセスシステムの拡張情報を取得する。
【００３６】
具体的には、第１の無線アクセスシステムの拡張情報は、第１の無線基地局装置（BTS#1）から報知された基本情報に含まれるＵＲＩ（bts1.cellular.ope-a）に基づいて、第１の無線基地局装置（BTS#1）を介して第１の無線アクセスシステム内の拡張情報格納装置に接続して取得することができる。第２の無線アクセスシステムの拡張情報は、第２の無線基地局装置（BTS#2）から報知された基本情報に含まれるＵＲＩ（bts0.cellular.ope-b）に基づいて、第１の無線基地局装置（BTS#1）を介してＩＰネットワーク経由で第２の無線アクセスシステム内の拡張情報格納装置に接続して取得することができる。
【００３７】
無線通信装置１０１は、各無線アクセスシステムの拡張情報を取得した後、取得した拡張情報に基づいて、通信サービスの提供を受ける無線アクセスシステム（最終接続先）を決定する。ここでは、第２の無線アクセスシステム（System#2）を接続先として接続する場合を示している。
【００３８】
なお、上述した構成において、無線アクセスシステムの拡張情報の格納方法として様々な形態をとることができる。例えば、オペレータが集中サーバで拡張情報を運用する構成（図４（Ａ）参照）、無線アクセスシステムに設けられた複数のＢＴＳ単位又はＲＮＣ等のコアノード単位で運用する構成（図４（Ｂ）参照）とすることができる。
【００３９】
同一の無線アクセスシステムにおいて、複数の無線基地局装置に同一の通信サービスを提供する場合には、オペレータ共通のＳＬＡを設定して拡張情報を管理・運用する。また、同一の無線アクセスシステムにおいて、複数の無線基地局装置毎に提供できる通信サービスを設定する場合には、無線基地局毎にＳＬＡを設定して、各無線基地局で拡張情報を管理・運用する。
【００４０】
また、無線基地局毎にＳＬＡを設定して、各無線基地局で拡張情報を管理・運用する場合には、拡張情報を階層化して設定してもよい（図４（Ｃ）参照）。例えば、無線アクセスシステム内において複数の拡張情報格納装置を設け、複数の拡張情報格納装置に拡張情報を階層化して格納する構成とすることができる。この場合、拡張情報の基本部分を上位の拡張情報格納装置に設定し、下位の拡張情報格納装置は拡張情報の基本部分を上位の拡張情報格納装置から承継し、相違点や変更点のみを設定、上書きする構成とすることができる。これにより、同一のオペレータが運用する無線アクセスシステムにおいて、無線基地局毎にＳＬＡを設定して各無線基地局で拡張情報を管理・運用する場合でも、データ量を低減すると共に柔軟な設定を行うことが可能となる。
【００４１】
例えば、図３に示すように、第１の無線基地局装置（BTS#1）から報知された基本情報に含まれるＵＲＩ（bts1.cellular.ope-a）の接続先において、上位の拡張情報格納装置のＵＲＩ（root.cellular.ope-a）を参照し、上位の拡張情報格納装置から拡張情報の基本部分を取得する構成とすることができる。
【００４２】
また、無線通信装置１０１が接続先優先リストに基づいて複数の無線アクセスシステムの中で初期接続する特定の無線アクセスシステムを決定する構成とする場合には、通信サービスの提供を受ける無線アクセスシステム（最終接続先）の選択結果に基づいて、接続先優先リストを更新することが好ましい。
【００４３】
最終接続先が初期接続先と異なる場合には、初期接続先の第１の無線アクセスシステム（System#1）と切断した後に、最終接続先の第２の無線アクセスシステム（System#2）と接続する必要がある。一方で、最終接続先が初期接続先と同じである場合には、接続を継続すればよい。つまり、初期接続先と最終接続先が同じとなるように接続先を決定することにより、接続の切り替えを低減することができる。
【００４４】
したがって、図３に示すように、最終接続先が選択された後に選択結果を初期接続優先リストの優先順位に反映させる構成とすることにより、初期接続先と最終接続先が一致する可能性を高くすることができ、接続の切り替えを低減することが可能となる。
【００４５】
以下に、上述した通信システムに適用する無線通信装置、無線基地局装置の構成の一例について図５を参照して説明する。なお、以下の説明における構成は、あくまで例示であって、この構成に限定されるものではない。
【００４６】
図５に示すように、無線通信装置１０１は、複数の異なる無線アクセスシステムと接続するための無線通信部と、基本情報受信部２０１と、接続先決定部２０２と、拡張情報取得部２０３と、データ送受信部２０４とを有している。
【００４７】
また、無線アクセスシステム２１０には、無線基地局装置と拡張情報格納部が設けられており、ここでは、無線通信部２１１、基本情報報知部２１２及び拡張情報格納装置２１３を有する無線基地局装置１０２と、上位拡張情報格納装置２１４が設けられている場合を示している。
【００４８】
基本情報受信部２０１は、各無線アクセスシステム内の無線基地局装置１０２に設けられた基本情報報知部２１２から報知される基本情報を受信する。
【００４９】
データ送受信部２０４は、無線通信装置１０１における、受信したデータ及び送信データを制御する。例えば、基本情報や拡張情報はデータ送受信部２０４を介してそれぞれ基本情報受信部２０１、拡張情報取得部２０３に供給される。
【００５０】
接続先決定部２０２は、基本情報受信部２０１で受信した各無線アクセスシステムの基本情報に基づいて、複数の無線アクセスシステムの中で接続する特定の無線アクセスシステムを決定する。
【００５１】
拡張情報取得部２０３は、接続先決定部２０２で初期接続先として選択した特定の無線アクセスシステムの無線基地局装置を介して複数の無線アクセスシステム内の拡張情報格納装置２１３（上位拡張情報格納装置２１４）にそれぞれ格納された拡張情報を取得する。なお、異なる無線アクセスシステムの拡張情報格納装置にはＩＰネットワークを経由して接続することができる。
【００５２】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【符号の説明】
【００５３】
１０１  無線通信装置
１０２Ａ、１０２Ｂ  無線基地局装置
１０３Ａ〜１０３Ｄ  拡張情報格納装置
２０１  基本情報受信部
２０２  接続先決定部
２０３  拡張情報取得部
２０４  データ送受信部
２１０  無線アクセスシステム
２１１  無線通信部
２１２  基本情報報知部
２１３  拡張情報格納装置
２１４  上位拡張情報格納装置
【図１】
0005592697.tif 000002
【図２】
0005592697.tif 000003
【図３】
0005592697.tif 000004
【図４】
0005592697.tif 000005
【図５】
0005592697.tif 000006